(57)【特許請求の範囲】
【請求項１】
複数枚のウエットシートと、  前記複数枚のウエットシートを収容するための包装容器であって、上面を有し、前記上面に前記ウエットシートを取り出すための取り出し口を有する包装容器と、  前記包装容器の前記取り出し口を開閉するための開閉蓋と、を備え、  前記包装容器に前記複数枚のウエットシートが積層された状態で収容されているウエットシート包装体であって、  開口部と底部とを有する内袋を備え、  前記内袋に前記複数枚のウエットシートが収容されており、  前記内袋は、前記開口部が下側となり前記底部が上側となった状態で前記包装容器に収容されており、  前記内袋は、前記ウエットシート包装体の使用開始時に、前記包装容器の前記取り出し口から引き出されて除去される、ことを特徴とするウエットシート包装体。
【請求項２】
前記包装容器は、ケースと、底蓋とを備え、  前記ケースは底面開口部を有しており、  前記底蓋は、前記ケースの前記底面開口部を閉塞している、請求項１記載のウエットシート包装体。
【請求項３】
前記ケースは、側面部を有しており、  前記ケースの前記側面部は、下端面を有しており、  前記底蓋は、フィルムから構成されており、  前記底蓋は、前記ケースの前記側面部の前記下端面にヒートシールされている、請求項２記載のウエットシート包装体。
【請求項４】
前記ケースは、前記取り出し口の開口縁部に、下側に向けて突出した環状突条を備えている、請求項２又は３記載のウエットシート包装体。
【請求項５】
前記内袋は、横ガセット袋である請求項１乃至４の何れかに記載のウエットシート包装体。
【請求項６】
前記内袋は、内面を有し、  前記内袋は、前記底部に、前記内袋の前記内面同士が重なり合った突出片を備えており、  前記内袋は、前記ウエットシート包装体の使用開始時に、前記突出片を摘むことにより、前記包装容器の前記取り出し口から引き出すことができる、請求項１乃至５の何れかに記載のウエットシート包装体。
【請求項７】
前記内袋は、前記開口部側に端部を有しており、  前記内袋の前記開口部側の前記端部は、前記ウエットシートの下側に折り曲げられている、請求項１乃至６の何れかに記載のウエットシート包装体。
【請求項８】
前記ウエットシートの下側の部分の中央部は、前記内袋によって覆われずに露出している、請求項７記載のウエットシート包装体。
【発明の詳細な説明】
【技術分野】
【０００１】  本発明は、ウエットシートが包装されたウエットシート包装体に関する。
【背景技術】
【０００２】  ウエットシートは、シート状の基材に薬液等の液体を含浸したものである。ウエットシートは、例えば、液状化粧料が含浸されたフェイスマスクの他、ウエットティッシュや、掃除用のウエットシート等である。ウエットシートは、各種の用途に使用される。複数枚のウエットシートが一枚ずつ個別に包装されるという場合がある。また、複数枚のウエットシートが上下に積層された状態で一括的に包装されるという場合がある。【０００３】  本出願人は、複数枚のウエットシートが一括包装されたウエットシート包装体について、下記特許文献１，２のように既に提案している。下記特許文献１，２に記載されたウエットシート包装体は、次のような手順で製造される。相対的に深型の第一のトレー容器に、複数枚のウエットシートを積層状態で載置する。複数枚のウエットシートの上に、相対的に浅型の第二のトレー容器を被せる。第一のトレー容器と、複数枚のウエットシートと、第二のトレー容器を、天地反転させる。天地反転させた、第一のトレー容器と、複数枚のウエットシートと、第二のトレー容器を、包装箱又はピロー包装袋に収容する。第一のトレー容器は、底部が上を向いた姿勢となる。第一のトレー容器の底部には孔が形成されている。第一のトレー容器の底部の孔は、内側からフィルムによって封止されている。包装箱又はピロー包装袋の上面には、取り出し口がある。取り出し口には、柔軟なフィルムからなるフラップが剥離可能且つ再貼着可能に貼り付けられている。使用に際しては、フラップを剥離して取り出し口を開口させる。次に、フィルムを取り出し口から取り出し除去する。その後、最上層のウエットシートから一枚ずつ順に取り出して使用する。【０００４】  ウエットシート包装体は、包装箱又はピロー包装袋の内側に、保形性を有する第一のトレー容器を備えている。そのため、ウエットシートを順に取り出す際に、包装箱又はピロー包装袋が変形しにくい。特に、ウエットシートの残数が少なくなった状態でも、包装箱又はピロー包装袋の形状が維持される。残数が少なくなっても、ウエットシートを容易に取り出すことができる。ウエットシート包装体は、内側のトレー容器と、外側の包装箱又はピロー包装袋という、二重の包装形態を備えている。ウエットシート包装体が二重の包装形態となっているので、コストを削減することは困難である。【０００５】  そこで、本出願人は、低コスト化を図るために、シンプルな包装形態とする構成を検討した。具体的には、図１９（ａ）に示しているような構成を検討した。このウエットシート包装体は、底面開口部を有するケース３に複数枚のウエットシート１を収容し、底面開口部をフィルムからなる底蓋４で密封閉塞したものである。ケース３の上面には取り出し口３３が形成されている。使用に際してはフラップ５を開けて取り出し口３３からウエットシート１を順次取り出すことができる。このような構成とすると、包装容器を簡素化できるためコストを削減できる。しかし、製造時には図１９（ｂ）に示しているようにケース３の取り出し口３３が下側に位置する。そのため、ウエットシート１に含浸している液体が、製造過程において、取り出し口３３から漏れ出すというおそれがあった。また、取り出���口３３を覆っているフラップ５の粘着力が、液体によって徐々に低下するというおそれがあった。製造後において、フラップ５が自然に開いたり、ケース３とフラップ５との間に隙間が発生したりする、というおそれもあった。
【先行技術文献】
【特許文献】
【０００６】
【特許文献１】国際公開第２０１４／１２９３９４号
【特許文献２】特開２０１６−４１５９３号公報
【発明の概要】
【発明が解決しようとする課題】
【０００７】  本発明の課題は、液漏れを起こしにくい低コストなウエットシート包装体を提供することである。
【課題を解決するための手段】
【０００８】  本発明のウエットシート包装体は、複数枚のウエットシートと、前記複数枚のウエットシートを収容するための包装容器であって、上面を有し、前記上面に前記ウエットシートを取り出すための取り出し口を有する包装容器と、前記包装容器の前記取り出し口を開閉するための開閉蓋と、を備え、前記包装容器に前記複数枚のウエットシートが積層された状態で収容されているウエットシート包装体であって、開口部と底部とを有する内袋を備え、前記内袋に前記複数枚のウエットシートが収容されており、前記内袋は、前記開口部が下側となり前記底部が上側となった状態で前記包装容器に収容されており、前記内袋は、前記ウエットシート包装体の使用開始時に、前記包装容器の前記取り出し口から引き出されて除去される、ことを特徴とする。【０００９】  複数枚のウエットシートは、包装容器に直接収容されていない。複数枚のウエットシートは、内袋に収容された状態で包装容器に収容されている。内袋は、底部が上向きとなり、開口部が下向きとなった状態で、包装容器に収容されている。内袋の底部は、包装容器の取り出し口に面している。内袋の開口部は、包装容器の取り出し口とは反対側に位置している。そのため、ウエットシートに含浸している液体は、取り出し口に到達しにくい。【００１０】  特に、前記包装容器は、ケースと、底蓋とを備え、前記ケースは底面開口部を有しており、前記底蓋は、前記ケースの前記底面開口部を閉塞している、ことが好ましい。底面開口のケースを包装容器として使用しているので、ウエットシート包装体は、保形性に優れている。ウエットシートを取り出す際に、ウエットシート包装体の形状が崩れにくい。そのため、ウエットシートを容易に取り出すことができる。特に、ウエットシートの残数が少なくなった状態においても、ウエットシート包装体の形状が保たれる。そのため、容易にウエットシートを取り出すことができ、また、良好な美感も維持できる。製造時にケースを天地反転させた状態とすることにより、内袋とウエットシートを、ケースの底面開口部から容易に入れることができる。【００１１】  特に、前記ケースは、側面部を有しており、前記ケースの前記側面部は、下端面を有しており、前記底蓋は、フィルムから構成されており、前記底蓋は、前記ケースの前記側面部の前記下端面にヒートシールされている、ことが好ましい。この好ましい構成とすると、ウエットシート包装体を安価に製造できる。【００１２】  また、前記ケースは、前記取り出し口の開口縁部に、下側に向けて突出した環状突条を備えていることが好ましい。取り出し口から内袋を取り出す際に、内袋がケースの内面に密着しにくくなる。そのため、内袋を取り出し口からスムーズに取り出すことができる。また、内袋をケースから取り出した後に取り出し口からウエットシートを取り出す際にも、ウエットシートをスムーズに取り出すことができる。また、製造時にケースを天地反転させた際に環状突条が内袋を支えるので、ケースの内面から内袋が離れる。そのため、ケースの内面と内袋との密着を防止することができる。【００１３】  また、前記内袋は横ガセット袋であることが好ましい。内袋が左右一対のサイドガセット部を有している。そのため、ウエットシートを複数枚積層した状態で内袋に収容しやすく、また、取り出しやすい。【００１４】  また、前記内袋は、内面を有し、前記内袋は、前記底部に、前記内袋の前記内面同士が重なり合った突出片を備えており、前記内袋は、前記ウエットシート包装体の使用開始時に、前記突出片を摘むことにより、前記包装容器の前記取り出し口から引き出すことができる、ことが好ましい。使用開始時に包装容器の取り出し口から内袋を容易に取り出して除去できる。【００１５】  また、前記内袋は、前記開口部側に端部を有しており、前記内袋の前記開口部側の前記端部は、前記ウエットシートの下側に折り曲げられている、ことが好ましい。内袋の開口部側の端部が内側に向けて折り曲げられていると、複数枚のウエットシートの積層状態が内袋によって保持される。ウエットシートは、横方向に位置ずれしたり変形したりしにくい。その結果、ウエットシートをスムーズに取り出すことができる。また、内袋の端部が折り曲げられていることで、包装容器と内袋の間に液体が流れていくことがより一層防止される。また、取り出し口に液体がより一層到達しにくくなる。ウエットシートは液体を含浸している。そのため、ウエットシートの下側に折り曲げられた内袋の端部は、ウエットシートに液体によって密着した状態となっている。折り曲げられた内袋の端部は、その上側に位置する複数枚のウエットシートの自重によって包装容器に押し付けられた状態となっている。折り曲げられた内袋の端部は、ウエットシートと包装容器とによって上下に挟み込まれた状態となっている。そのため、内袋の端部の折れ曲がり状態が維持されることになる。例えば輸送中の振動等によっても、内袋の端部の折れ曲がり状態が維持される。そのため、輸送中等におけるウエットシートの型くずれ及び液漏れを、確実に防止できる。【００１６】  特に、前記ウエットシートの下側の部分の中央部は、前記内袋によって覆われずに露出している、ことが好ましい。取り出し口から内袋を容易に取り出すことができる。
【発明の効果】
【００１７】  以上のように、底部を上にした内袋に、ウエットシートが収容されているので、開封前における液漏れの発生を内袋によって効果的に防止することができる。低コスト化も可能になる。内袋は使用開始時に取り出し口から除去されるので、ウエットシートを取り出す際において内袋が邪魔になるということもない。
【図面の簡単な説明】
【００１８】
【図１】本発明の一実施形態におけるウエットシート包装体を示す斜視図。
【図２】同包装体の平面図。
【図３】図２のＡ−Ａ端面図。
【図４】同包装体に使用されている包装容器としてのケースを示す平面図。
【図５】図４のＢ−Ｂ断面図。
【図６】同包装体に使用されている内袋を示す斜視図であって、（ａ）は扁平状態を示し、（ｂ）は拡開した状態を示す。
【図７】同包装体の製造工程を示す断面図。
【図８】同包装体の製造工程を示す断面図。
【図９】（ａ）及び（ｂ）は同包装体の製造工程を示す断面図。
【図１０】同包装体の製造工程を示す斜視図。
【図１１】（ａ）及び（ｂ）は同包装体の製造工程を示す断面図。
【図１２】（ａ）及び（ｂ）は同包装体の製造工程を示す平面図。
【図１３】同包装体の製造工程を示す断面図。
【図１４】同包装体の使用開始時の状態を示す斜視図であって、内袋を取り出す前の状態を示す。
【図１５】同包装体の使用開始時の状態を示す斜視図であって、内袋を取り出している途中の状態を示す。
【図１６】本発明の他の実施形態におけるウエットシート包装体を示す図３に対応した端面図。
【図１７】（ａ）及び（ｂ）は同包装体の製造工程を示す断面図。
【図１８】（ａ）及び（ｂ）は本発明の他の実施形態におけるウエットシート包装体を示す図３に対応した端面図。
【図１９】参考例としてのウエットシート包装体を示す断面図であって、（ａ）は通常状態を示し、（ｂ）は製造段階の状態を示す。
【発明を実施するための形態】
【００１９】  以下、本発明の一実施形態に係るウエットシート包装体について、図１〜図１５を参酌しつつ説明する。ウエットシート包装体を、以下、単に包装体という。図１〜図３に示している包装体は、複数枚のウエットシート１が包装容器に一括包装されたものである。複数枚のウエットシート１は、内袋２に一括収容されている。複数枚のウエットシート１は、内袋２に収容された状態で包装容器に収容されている。包装容器は、底面が開口したケース３と、ケース３の底面開口部３８を閉塞する底蓋４とを備えている。ケース３の上面には、ウエットシート１を取り出すための取り出し口３３が形成されている。ケース３の上面には、取り出し口３３を開閉自在に閉塞する開閉蓋としてのフラップ５が貼着されている。以下、詳細に説明する。
【００２０】＜ウエットシート１＞  ウエットシート１は、フェイスマスクやウエットティッシュ等、各種のものである。特に、ウエットシート１は、フェイスマスクが好ましい。ウエットシート１がフェイスマスクの場合には、特に一枚ずつ折り畳まれた状態で包装されていることが好ましい。ウエットシート１の折り畳み方も種々であってよい。ウエットシート１の折り畳み方は、二つ折り、三つ折り、四つ折り等である。ウエットシート１は、縦方向のみ、又は、横方向のみに、折り畳まれた形態であってもよい。ウエットシート１は、縦方向と横方向の両方にそれぞれ折り畳まれた形態であってもよい。特に、ウエットシート１がフェイスマスクの場合には、縦方向と横方向の二方向に折り畳まれた形態とすることにより、ウエットシート１をコンパクトに収容でき、包装体を小型化できる。ウエットシート１がフェイスマスクの場合には、Ｚ状に折り畳まれた形態であってもよい。ウエットシート１がＺ状に折り畳まれていると、ウエットシート１の端部を持って摘み上げることで、ウエットシート１の全体を広げた状態にして取り出すことが容易になる。
【００２１】  ウエットシート１は、シート基材１０に液体１１が含浸されたものである。シート基材１０は、例えば繊維シートである。シート基材１０は、代表的には不織布である。この不織布には、各種素材のものを使用することができる。不織布は、例えば、ポリオレフィン繊維、セルロース繊維、ナイロン繊維、ポリエステル繊維、アクリル繊維、ポリアクリル酸系繊維、ポリ乳酸繊維又はポリウレタン繊維よりなる群から選ばれた少なくとも１種の繊維から構成される。目付（坪量）が２０〜２００ｇ／ｍ２である不織布を用いることができる。フェイスマスクの場合には、液体１１は液状化粧料である。化粧料は、化粧水、ローション、化粧液、乳液等の液状の化粧料である。化粧料は、水性であっても油性であってもよい。化粧料は、皮膚、特に、顔の皮膚に効果のあるものである。
【００２２】＜内袋２＞  内袋２は、平袋等の各種の袋形態であってよい。本実施形態では、内袋２は、横ガセット袋である。横ガセット袋は、図６（ａ）に示しているように、左右一対のサイドガセット部２０を有している。内袋２の底部２１は、ヒートシールされて閉塞されている。内袋２の上部は開口している。内袋２の底部２１には、突出片２２が全幅に亘って形成されている。突出片２２は、内袋２を構成しているフィルムの内面同士が重ね合わせられてヒートシールされたものである。突出片２２は指先で摘むことのできる突出長さを有している。突出片２２の突出長さは、好ましくは５〜１５ｍｍである。ヒートシールされた底シール部２３は線状である。底シール部２３は内袋２の全幅に亘って形成されている。底シール部２３は突出片２２の基端部に位置している。突出片２２における底シール部２３から先側の部分は、内袋２を構成しているフィルム同士が重なり合っている部分であるがヒートシールされていない部分である。図６（ｂ）に示しているように、拡開した状態における内袋２は、開口部２４側から見た平面視において、矩形である。拡開した状態における内袋２は、詳細には、長方形である。底部２１の突出片２２は、長方形の長辺方向に沿っている。
【００２３】  内袋２は、各種のフィルムから構成される。本実施形態では、内袋２は、継ぎ目のないシームレスの筒状である。そのため、内袋２は、一枚の筒状フィルムから構成されている。例えば、一対のサイドガセット部２０を有する長尺状の筒状フィルムを所定長さに切断すると同時にヒートシールすることで、図６（ａ）のような上端開口下端閉塞の内袋２を形成できる。但し、内袋２は、二枚のフィルムから構成されていてもよい。内袋２は、前後二枚のフィルムと、サイドガセット部２０を構成する別途二枚のフィルムの、合計四枚のフィルムから構成されていてもよい。
【００２４】  内袋２を構成しているフィルムは、種々の合成樹脂フィルムであってよい。内袋２を構成しているフィルムは、特にポリエチレンフィルム（ＰＥ）が好ましい。ポリエチレンフィルムからなる内袋２の場合には、コシが強すぎるということがなくて柔軟性に優れている。ポリエチレンフィルムからなる内袋２は、取り出しやすい。ポリエチレンフィルムからなる内袋２は、耐薬品性に優れている。
【００２５】  内袋２は、上下逆向きでケース３に収容されている。内袋２は、底部２１が上側を向き、開口部２４が下側を向いた状態でケース３に収容されている。底部２１の突出片２２は、後述するように、ケース３の取り出し口３３に面している。底部２１の突出片２２は、取り出し口３３の長手方向に沿っている。底部２１の突出片２２は、ケース３の天面部３０の長辺方向に沿っている。突出片２２は、突出片２２の前後両面のうちの第一の面に向けて傾倒している。
【００２６】  内袋２の開口部２４側の端部２５は、図３のように内側に向けて折れ曲げられている。内袋２の開口部２４側の端部２５は、最下層のウエットシート１の下側に位置している。図３では、内袋２の開口部２４側の端部２５と底蓋４との間に隙間が空いているように図示されている。その理由は、内袋２の開口部２４側の端部２５の折れ曲がり状態をわかりやすくするためである。実際には、内袋２の開口部２４側の端部２５は、底蓋４に当接している。内袋２の開口部２４側の端部２５には、複数枚のウエットシート１の自重が作用している。内袋２の開口部２４側の端部２５は、底蓋４に押し付けられている。尚、内袋２の開口部２４側の端部２５の折り方については、後述する。
【００２７】＜ケース３＞  ケース３の形状は、平面視丸形の円筒状等、種々の形状であってよい。本実施形態では、ケース３は、平面視矩形である。具体的には、ケース３は、平面視において横長の長方形状のボックス型である。ケース３は、底面が開口した形状である。ケース３は、横長の長方形状の天面部３０と、天面部３０の周縁部から垂下する側面部３１とを備えている。側面部３１の下端部には、外側に向けてフランジ部３２が水平に延びている。フランジ部３２は、全周に亘って形成されている。尚、天面部３０の上面は、ケース３の上面である。天面部３０の上面は、ケース３の外面である。
【００２８】  天面部３０は、図５に示しているように、平坦面ではない。天面部３０の形状は、長辺方向に沿って上側に向けて若干湾曲した形状である。天面部３０の短辺方向に沿った形状は、湾曲せずに直線状である。天面部３０の短辺方向に沿った形状は、水平である。尚、以下の説明において、天面部３０の長辺方向を左右方向と称することがある。また、天面部３０の短辺方向を前後方向と称することがある。
【００２９】  天面部３０は、ウエットシート１を取り出すための取り出し口３３を有している。取り出し口３３は、天面部３０の中央部に開口している。取り出し口３３の形状は任意である。取り出し口３３の形状は、天面部３０の長辺方向に沿って長い形状であることが好ましい。本実施形態では、取り出し口３３の形状は、図４のように天面部３０の長辺方向に長いトラック形状である。取り出し口３３の開口縁部には、下方に向けて環状突条３４が突設されている。環状突条３４は、取り出し口３３の開口縁部の全周に亘って形成されている。環状突条３４は、天面部３０の外面側から内面側に向けて、取り出し口３３の中心側に傾斜しつつ延びている。環状突条３４の先端部は局所的に厚肉となっている。環状突条３４の先端面は、環状突条３４の厚さ方向に沿って下向きに湾曲した曲面となっている。
【００３０】  また、天面部３０の長辺方向の両端部のうち第一の端部の近傍には、凹部３５が形成されている。凹部３５は、天面部３０の長辺方向の第一の端部と取り出し口３３との間に位置している。凹部３５は、天面部３０の短辺方向の中央部に位置している。凹部３５の形状は任意である。本実施形態では、凹部３５の形状は、天面部３０の長辺方向の第一の端部側に向けて湾曲した舌片状又は半円状である。凹部３５の形状は、取り出し口３３から遠い側に向けて湾曲した舌片状又は半円状である。天面部３０の上面であって凹部３５の取り出し口３３に近い側の端部近傍には、上方に向けて突出した凸部３６が形成されている。尚、凸部３６と凹部３５は、互いに連続している。
【００３１】  側面部３１は、天面部３０の形状に対応して四つの壁面を備えている。側面部３１は、天面部３０の一対の長辺に対応した前後一対の壁面と、天面部３０の一対の短辺に対応した左右一対の壁面とを備えている。側面部３１の内面にリブを形成することができる。リブの配置、リブの形状、リブの本数等は、任意である。本実施形態では、側面部３１の内面に、縦方向に延びる縦リブ３７が形成されている。縦リブ３７は、側面部３１の内面の上端部から所定長さ下方に延びている。縦リブ３７の上端部は、天面部３０に達している。縦リブ３７は、側面部３１の四つの壁面のうち、左右一対の壁面に形成されている。縦リブ３７は、左右一対の壁面の前後両端部近傍にそれぞれ一本ずつ合計四本形成されている。尚、縦リブ３７の長さも任意である。本実施形態では、縦リブ３７の長さは、側面部３１の上下方向の寸法の１／３〜１／２の長さである。縦リブ３７は、側面部３１の内面のうち上部のみに形成されている。
【００３２】  ケース３は、好ましくは合成樹脂製である。ケース３は、射出成形品である。底蓋４がケース３にヒートシールされる場合には、ケース３を構成する合成樹脂は、底蓋４とヒートシール可能な合成樹脂とされる。合成樹脂は例えばポリプロピレン樹脂（ＰＰ）である。尚、ケース３は、合成樹脂製のシートからシート成形されたシート成形品であってもよい。シート成形は、例えば、真空成形、圧空成形、プレス成形等である。特に、コスト面において、真空成形が好ましい。合成樹脂シートは、種々の熱可塑性樹脂シートである。熱可塑性樹脂シートは、例えば、ポリエチレンテレフタレート樹脂や、ポリスチレン樹脂、ポリエチレン樹脂、ポリプロピレン樹脂、ポリカーボネート樹脂等からなるシートである。合成樹脂シートは、好ましくは厚肉のものである。シートの厚さは、例えば０．５ｍｍ〜２．５ｍｍである。
【００３３】＜底蓋４＞  本実施形態において、底蓋４は、合成樹脂製のフィルムからなる。フィルムは、単層、多層の何れであってもよい。フィルムは、好ましくは多層構造である。底蓋４は、ケース３の側面部３１の下端面にヒートシールされている。本実施形態では、ケース３の側面部３１の下端部にフランジ部３２が形成されている。フランジ部３２の下面に底蓋４がヒートシールされている。底蓋４がケース３にヒートシールされるので、底蓋４を構成するフィルムは、内面にシーラント層を有している。底蓋４を構成するフィルムは、好ましくは、ガスバリア性を有する。一例としては、フィルムは、四層構造である。フィルムは、外面側から順に、基材フィルムとしてのポリエチレンテレフタレートフィルム（ＰＥＴ）と、ガスバリア層としてのアルミ蒸着を施したＰＥＴフィルムと、２軸延伸ポリプロピレンフィルム（ＯＰＰ）と、シーラント層としての無延伸ポリプロピレンフィルム（ＣＰＰ）とを、備えている。ＰＥＴフィルムの厚さは例えば１２μｍである。アルミ蒸着を施したＰＥＴフィルムの厚さは例えば１２μｍである。ＯＰＰフィルムの厚さは例えば５０μｍである。ＣＰＰフィルムの厚さは例えば４０μｍである。尚、基材フィルムに模様や文字等の各種の印刷層を形成することができる。
【００３４】＜フラップ５＞  フラップ５は、ケース３の取り出し口３３を覆うようにケース３の天面部３０に貼着されている。フラップ５は、ケース３の天面部３０に剥離可能に且つ再貼着可能に貼着されている。フラップ５の形状は、取り出し口３３を覆うことができる形状であればよい。フラップ５のサイズは、取り出し口３３よりも大きい。取り出し口３３の形状は、ケース３の天面部３０の長辺方向に沿って長い形状である。フラップ５の形状は、取り出し口３３の形状に対応している。フラップ５の形状は、ケース３の天面部３０の長辺方向に沿って長い形状である。フラップ５の形状は、具体的には長方形である。フラップ５の長手方向が、フラップ５の剥離方向である。フラップ５の長手方向が、フラップ５の開封方向である。フラップ５は、ケース３の天面部３０の長辺方向に沿って剥離される。フラップ５の長手方向の両端部のうち第一の端部は、剥離開始側の端部である。フラップ５の長手方向の第一の端部には、摘み部５０が設けられている。摘み部５０の形状は例えば半円状である。図２のように、摘み部５０は、ケース３の天面部３０の凹部３５の上側に位置している。摘み部５０は、凸部３６の上側に位置している。図３のように、摘み部５０が凸部３６に当接することにより、摘み部５０は、摘み部５０の先端側に向けて徐々に上方に迫り上がっている。摘み部５０は、凹部３５の上側に位置している。しかし、摘み部５０によって、凹部３５の全体が上方から覆われてはいない。図２のように、凹部３５は、部分的に、摘み部５０によって覆われずに露出している。フラップ５の裏面は、粘着性を有している。フラップ５は、フラップ５の裏面に、粘着性を有する粘着部を備えている。フラップ５の裏面は、ケース３に対して剥離可能且つ再貼着可能である。摘み部５０の裏面は、粘着性を有していない。摘み部５０は、摘み部５０の裏面に、非粘着性の非粘着部を備えている。フラップ５の裏面のうち取り出し口３３に対応した部分は、非粘着部である。
【００３５】  フラップ５の長手方向の両端部のうち第二の端部側には、フラップ５の剥離を止めるためのストッパー用切り込み線５１が形成されている。ストッパー用切り込み線５１は、フラップ５の短手方向の両端部にそれぞれ形成されている。両ストッパー用切り込み線５１は、それぞれフラップ５の短手方向の両端部から内側に向けて延びている。
【００３６】  フラップ５は、多層構造である。フラップ５は、基材フィルムと、基材フィルムの裏面に積層された粘着剤層とを備えている。基材フィルムの表面には、印刷層が形成される。基材フィルムは、各種の柔軟なフィルムである。基材フィルムは、特には、種々の透明な合成樹脂フィルムである。基材フィルムは、好ましくは、二軸延伸ポリエチレンテレフタレートフィルムである。尚、基材フィルムは、紙や不織布、合成紙等であってもよい。粘着剤層は、各種の粘着剤を基材フィルムの裏面に塗布することにより形成することができる。尚、粘着剤層を基材フィルムの裏面の全体に形成する。摘み部５０の裏面には、粘着剤層の上に紫外線硬化型インキ等のマスキング剤を形成する。摘み部５０の裏面を非粘着部とすることができる。フラップ５の裏面のうち取り出し口３３に対応した箇所についても同様に非粘着部とすることができる。
【００３７】＜製造工程＞  次に包装体の製造工程について説明する。まず、図６（ｂ）に示しているように、内袋２を角筒状に拡開する。内袋２の底部２１を下に向け、内袋２の開口部２４を上に向ける。内袋２を例えばテーブル等の載置面に載置する。拡開した内袋２は、開口部２４側から見た平面視において、矩形である。詳細には、拡開した内袋２は、開口部２４側から見た平面視において、長方形である。内袋２が横ガセット袋であるので、内袋２の底部２１を容易に矩形とすることができる。内袋２が横ガセット袋であるので、内袋２の底部２１を容易に長方形状とすることができる。内袋２のフィルムがＰＥ等のような薄く腰の弱いフィルムであっても、開口部２４側の端部２５の起立状態が維持されやすい。
【００３８】  一方、図７のように、折り畳まれたシート基材１０を複数枚上下に積層しておく。積層された複数枚のシート基材１０を内袋２に入れる。シート基材１０の枚数は、１０枚以上が好ましい。シート基材１０の枚数は、１０〜１００枚である。内袋２が横ガセット袋であるので、複数枚のシート基材１０を一括的に内袋２に容易に入れることができる。内袋２にシート基材１０を入れる際にシート基材１０が変形しにくい。そのため、取り出し口３３からウエットシート１を取り出す際に、スムーズにウエットシート１を取り出すことができる。
【００３９】  図８に示しているように、上下に積層された複数枚のシート基材１０を内袋２に入れる。内袋２の開口部２４側の端部２５は、複数枚のシート基材１０の上面よりも所定長さ上方に突出している。図６（ｂ）及び図７のように、内袋２の底部２１をフラットにした状態において、内袋２の底部２１から内袋２の開口部２４までの上下方向の寸法は、複数枚のシート基材１０の上下方向の寸法よりも大きい。図６（ｂ）及び図７のように、内袋２の底部２１をフラットにした状態において、内袋２の底部２１から内袋２の開口部２４までの上下方向の寸法は、複数枚のシート基材１０の上下方向の寸法に対して余裕のある寸法である。
【００４０】  一方、ケース３を天地反転させる。ケース３の底面開口部３８を上向きとする。ケース３の取り出し口３３には予めフラップ５を貼着しておく。複数枚のシート基材１０が入れられた内袋２をケース３に入れる。ケース３は硬質の合成樹脂製であって保形性を有している。そのため、内袋２に入れられた複数枚のシート基材１０を容易にケース３に収容することができる。上下反転させたケース３に内袋２を底部２１側から入れるので、内袋２をケース３にスムーズに入れることができる。
【００４１】  内袋２の底部２１は下を向いている。ケース３の天面部３０は下側となっている。複数枚のシート基材１０が入れられた内袋２を、ケース３に入れると、図９（ａ）のように、内袋２の底部２１がケース３の天面部３０に対峙する。内袋２の底部２１は環状突条３４によって支持される。そのため、内袋２の底部２１はケース３の天面部３０の内面から浮き上がった状態となり、内袋２の底部２１はケース３の天面部３０の内面に密着しない。ケース３の底面開口部３８と内袋２の開口部２４は、何れも上方を向いた状態となる。ケース３に収容された状態において、上下に複数枚積層されたシート基材１０は、ケース３のフランジ部３２よりも上側に所定量はみ出した状態となる。内袋２の開口部２４側の端部２５は、ケース３のフランジ部３２よりも上側に所定長さ突出した状態となる。内袋２は、ケース３から所定長さ上方に突出する。内袋２がケース３から突出した部分は、ケース３に対する内袋２の余裕分である。その余裕分の長さは、長辺側で例えば２０〜２５ｍｍである。余裕分の長さは、短辺側で例えば２５〜３０ｍｍである。図９（ｂ）のように、内袋２の開口部２４側の端部２５をケース３のフランジ部３２で下側に折り返す。内袋２の開口部２４側の端部２５をケース３の側面部３１の外側に位置させる。
【００４２】  その後、内袋２に液体１１を入れる。具体的には、図１０のように、積層されたシート基材１０の上方にノズル６０を配置する。ノズル６０から液体１１をシート基材１０に向けて注出する。好ましくは複数本のノズル６０を配置する。好ましくは、四本あるいは二本のノズル６０を配置する。図１０には四本のノズル６０を配置した場合を図示している。四本のノズル６０をシート基材１０の上方に配置する場合には、ケース３の長辺方向と短辺方向の二方向にそれぞれ間隔をあけるようにして、ノズル６０を配置する。尚、二本のノズル６０を使用する場合には、例えば、ケース３の短辺方向の中央部に、ケース３の長辺方向に間隔をあけるようにして配置することが好ましい。積層されたシート基材１０の上面に液体１１を注ぐことが好ましい。シート基材１０を介して内袋２に液体１１を注入することが好ましい。内袋２の外側には硬質のケース３が存在している。そのため、内袋２に液体１１を注入する際に、複数枚のシート基材１０が型くずれしたりすることがなく、容易に液体１１を注入できる。内袋２の開口部２４側の端部２５をケース３のフランジ部３２で下側に折り返してケース３の側面部３１の外側に位置させているので、液体１１を注入する際に内袋２が邪魔にならない。ヒートシール面であるケース３のフランジ部３２に液体１１が付着することを内袋２によって防止できる。
【００４３】  液体１１の量は、例えば図１１（ａ）に示すように、ケース３の上下方向の寸法の約１／５〜１／４程度である。液体１１の量は、図１１（ｂ）に示すように、複数枚のシート基材１０の全体に液体１１が浸透できる程度の量である。シート基材１０とケース３との間には内袋２が存在しているため、液体１１がケース３には到達しない。液体１１がケース３の取り出し口３３には到達しない。液体１１によってフラップ５の粘着力が低下するということがない。
【００４４】  シート基材１０に液体１１を含浸させることにより、ウエットシート１が完成する。液体１１を注入した後、図１１（ｂ）に矢印で示しているように、ウエットシート１を上方から押圧することが好ましい。この押圧工程によって、液体１１が複数枚のウエットシート１の全体に行き渡る。ケース３のフランジ部３２よりも上方に所定量はみ出していた複数枚のウエットシート１は、押圧工程によって圧縮される。複数枚のウエットシート１は、ケース３から上方にはみ出すことがなくなる。複数枚のウエットシート１は、ケース３の内側に完全に収容される。収容された複数枚のウエットシート１の上面の高さは、ケース３のフランジ部３２の下面の高さ以下となる。複数枚のウエットシート１を上下圧縮してケース３に完全に収容する。底蓋４をフランジ部３２にヒートシールする際に、底蓋４の中央部がウエットシート１に押されて上方に膨出するということがない。底蓋４をフランジ部３２に確実にヒートシールすることができる。環状突条３４が内袋２を下から支えるので、ウエットシート１の自重や押圧工程の押圧力がフラップ５に作用しない。そのため、フラップ５の剥離が防止される。
【００４５】  その後、図１２のように内袋２を折り畳む工程へと進む。内袋２の上下方向の長さは、複数枚のウエットシート１の積層高さに対して余裕がある。その余裕分を利用して内袋２を折り畳む。まず、ケース３のフランジ部３２の外側に折り返していた内袋２の開口部２４側の端部２５を、上側に引き上げて起立させる。その起立状態では、内袋２の開口部２４側の端部２５は、平面視において矩形である。具体的には、内袋２の開口部２４側の端部２５は、長方形である。起立状態となった内袋２の開口部２４側の端部２５をケース３の内側に向けて略９０度折り曲げる。折り曲げ方は任意である。折り曲げ方の一例を挙げる。まず、図１２（ａ）のように、内袋２の開口部２４側の端部２５のうち左右一対の短辺側の部分２５ａを、それぞれ内側に折り曲げて最下層のウエットシート１に押し付ける。尚、ケース３は製造段階において天地逆の状態となっている。そのため、最下層のウエットシート１は製造段階では最も上側に位置している。ウエットシート１には液体１１が含浸されているので、内袋２は、ウエットシート１に貼り付く。そのため、内袋２の開口部２４側の端部２５の折り曲げ状態が維持される。図１２において、最下層のウエットシート１と内袋２とが密着している部分には、多数のドットを付して示している。図１２（ａ）のように、内袋２の開口部２４側の端部２５のうち左右一対の短辺側の部分２５ａが内側に折り曲げられた状態において、内袋２の開口部２４側の端部２５のうち短辺側の部分２５ａ同士は互いに離間している。
【００４６】  続いて、図１２（ｂ）のように、内袋２の開口部２４側の端部２５のうち前後一対の長辺側の部分２５ｂを、それぞれ内側に折り曲げて最下層のウエットシート１に押し付けて密着させる。内袋２の開口部２４側の端部２５における四隅の箇所では、内袋２の開口部２４側の端部２５における長辺側の部分２５ｂが短辺側の部分２５ａの上に重なっている。内袋２の開口部２４側の端部２５のうち四隅の箇所以外の部分は、最下層のウエットシート１に当接する。内袋２の開口部２４側の端部２５のうち四隅の箇所以外の部分をウエットシート１に密着させることができる。長辺側の部分２５ｂについても、内側に折り曲げられた状態において互いに離間している。上下に複数枚積層されたウエットシート１の下面は、図１２のように天地反転された状態では上面となる。上下に複数枚積層されたウエットシート１の下面の中央部は、内袋２によって覆われずに露出している。上下に複数枚積層されたウエットシート１の下面の中央部のみが内袋２によって覆われない。上下に複数枚積層されたウエットシート１の下面の中央部を除いて、上下に複数枚積層されたウエットシート１の全体は、内袋２によって覆われている。
【００４７】  その後、図１３のように、ケース３のフランジ部３２の下面に底蓋４をヒートシールする。内袋２の開口部２４側の端部２５は、内側に折り曲げられている。内袋２の開口部２４側の端部２５は、ウエットシート１に密着している。内袋２の開口部２４側の端部２５は、折り曲げられた状態が維持されている。底蓋４をケース３のフランジ部３２の下面にヒートシールする際に、内袋２が邪魔にならない。底蓋４をケース３のフランジ部３２の下面にヒートシールする際に、シールバーが内袋２に触れることがない。底蓋４をケース３のフランジ部３２の下面にヒートシールする際に、内袋２が溶けたり破損したりしない。ケース３の底面開口部３８を底蓋４で密封して、包装体が完成する。包装体を製造した後、包装体を上下反転させる。包装体を、図１のようなフラップ５が上側に位置する通常状態とする。
【００４８】  製造された包装体においては、上下に積層された複数枚のウエットシート１が内袋２に入れられている。開封前の例えば輸送中等に、ケース３内においてウエットシート１が位置ずれしたり、型くずれしたりしにくい。特に、内袋２の開口部２４側の端部２５が折り曲げられているので、ウエットシート１の積層状態が良好に維持される。
【００４９】  通常状態では、内袋２の開口部２４が下を向いた状態にある。ウエットシート１に含浸した液体１１が内袋２の開口部２４から内袋２の外部に滲み出す可能性がある。仮に内袋２の外部に液体１１が滲みだしたとしても、滲みだした液体１１の量は僅かである。滲みだした液体１１がケース３の側面部３１をつたって上昇するということもほとんどない。そのため、液体１１は取り出し口３３には到達しない。フラップ５の貼着状態が確実に維持される。内袋２の開口部２４側の端部２５が折り曲げられているので、内袋２からの液体１１の滲みだしを、より一層防止できる。折り曲げられた内袋２の開口部２４側の端部２５は、最下層のウエットシート１に密着している。折り曲げられた内袋２の開口部２４側の端部２５は、複数枚のウエットシート１の自重によって底蓋４に押し付けられている。そのため、内袋２の開口部２４側の端部２５の折れ曲がり状態が維持される。
【００５０】＜使用開始＞  包装体を使用する際には、まず図１４のようにフラップ５を第一の端部側から剥離して、取り出し口３３を開放させる。フラップ５の摘み部５０を摘むことでフラップ５をケース３の天面部３０から剥離できる。ケース３の天面部３０には凹部３５が形成されている。凹部３５の開口縁部には凸部３６が形成されている。凸部３６によってフラップ５の摘み部５０が上方に迫り上がった状態にある。そのため、フラップ５を剥離する際に、摘み部５０を容易に摘んでフラップ５を剥離することができる。フラップ５を開けると、取り出し口３３から内袋２の底部２１が部分的に露出し、底部２１の突出片２２も部分的に露出する。その後、図１５のように取り出し口３３から内袋２を引き出していく。内袋２の底部２１が上側となっているので、内袋２を底部２１から容易に引き出すことができる。内袋２の底部２１には突出片２２が形成されている。突出片２２は取り出し口３３から露出する。突出片２２を指先で摘んで内袋２を容易に引き出すことができる。突出片２２は片面側に傾倒している。突出片２２を摘んで引き起こすようにしながら、突出片２２を上方に引っ張っる。内袋２をケース３から完全に取り出して除去する。ケース３から取り出した内袋２は廃棄処分してよい。
【００５１】  内袋２がポリエチレンフィルムから構成されていると、内袋２を引っ張り出す際の抵抗が小さく、スムーズに内袋２を引っ張り出すことができる。また、内袋２をケース３から引き出す際に、ケース３の例えば側面部３１を第一の手で把持しながら第二の手で内袋２を摘んで引き出すことができる。ケース３が保形性に優れているので、ケース３をしっかりと把持して固定しながら、内袋２を容易に引き出すことができる。取り出し口３３の開口縁部に下向きの環状突条３４が形成されているので、内袋２は環状突条３４の先端面に接触しながら取り出し口３３から引き出される。そのため内袋２をスムーズに引き出すことができる。環状突条３４の先端面が下側に湾曲した曲面となっているので、内袋２と環状突条３４の先端面との間の摺動抵抗は小さい。環状突条３４の先端部が厚肉部となっているので、環状突条３４の先端面を大きな曲面とすることができる。そのため、内袋２は環状突条３４の先端面とスムーズに摺動する。また、ケース３の天面部３０の内面から環状突条３４が下側に突出しているので、内袋２がケース３の天面部３０の内面に密着しない。そのため内袋２を容易に取り出すことができる。また、ウエットシート１の下面の中央部は内袋２によって覆われずに露出しているので、ウエットシート１の下面の全体が内袋２で覆われている構成に比して、内袋２を容易に引き出すことができる。
【００５２】  内袋２を引き出した後、最上層のウエットシート１から順に一枚ずつ取り出し口３３から取り出して、ウエットシート１を使用することができる。取り出し口３３の開口縁部に環状突条３４が下向きに突出しているので、ウエットシート１がケース３の天面部３０の内面に貼り付きにくく、ウエットシート１をスムーズに取り出すことができる。ウエットシート１を取り出した後、フラップ５を再びケース３の天面部３０に貼着することにより、取り出し口３３を再封できる。ウエットシート１の残数が少なくなっても、ケース３によって包装体の形状が維持される。最後のウエットシート１までスムーズに取り出すことができる。包装体の良好な美感も維持される。取り出し口３３の開口縁部には下方に向けて環状突条３４が突設されているので、ウエットシート１がフラップ５に触れにくく、フラップ５の粘着力が維持される。
【００５３】  本実施形態では、内袋２に複数枚のシート基材１０を収容し、そのシート基材１０を収容した内袋２をケース３に入れ、その後、内袋２に液体１１を注入してシート基材１０に液体１１を含浸させた。しかし、シート基材１０を収容した内袋２をケース３に入れた状態ではなく、シート基材１０を収容した内袋２をケース３に入れる前の状態において、シート基材１０を収容した内袋２に液体１１を注入してもよい。内袋２に先に液体１１を入れておき、その内袋２にシート基材１０を入れて液体１１を含浸させてもよい。内袋２にシート基材１０を入れる前に予めシート基材１０に液体１１を含浸させてウエットシート１を作成し、そのウエットシート１を内袋２に入れてもよい。ウエットシート１を内袋２に入れる作業は、ケース３の外部で行ってもよいし、ケース３に内袋２を先に入れておいてその内袋２にウエットシート１を入れてもよい。
【００５４】  上記実施形態では、包装容器がケース３と底蓋４とを備える構成であった。しかし、包装容器は柔軟性を有するものでもよい。例えば、図１６のように包装容器は包装袋７０でもよい。包装袋７０の形態は任意である。包装袋７０は、例えば、ピロー包装である。包装袋７０の上面に取り出し口７１が形成されている。その取り出し口７１をフラップ５が覆う。包装容器が包装袋７０である場合、例えば、図１７（ａ）のように、包装袋７０の第一の端部は開口している。包装袋７０の開口部７２は側方を向いている。複数枚のウエットシート１が入れられた内袋２を、側方から包装袋７０に入れる。包装袋７０は上下逆の状態である。フラップ５は下側に位置する。内袋２の底部２１は下側に位置し、内袋２の開口部２４は上側に位置する。底部２１が下側に位置して開口部２４が上側に位置した内袋２を、包装袋７０に入れる。複数枚のウエットシート１が入れられた内袋２を包装袋７０に入れる。その後、図１７（ｂ）のように、包装袋７０の開口部７２をヒートシールして密封する。その後、包装袋７０を上下反転させて通常状態とする。包装袋７０を使用すると、包装体の製造コストをより一層低減できる。
【００５５】  尚、上記実施形態では、ウエットシート１が上下に積層されていた。上記実施形態では、ウエットシート１の積層の方向は上下方向であった。しかし、ウエットシート１の積層の方向は、上下方向には限られない。図１８のようにウエットシート１の積層の方向は、水平方向であってもよい。ウエットシート１が折り畳まれた状態で内袋２に収容されている場合には、ウエットシート１の折り目１ａは、図１８（ａ）のように上側を向いていてもよい。ウエットシート１の折り目１ａは、図１８（ｂ）のように、下側を向いていてもよい。図示は省略するが、ウエットシート１の折り目１ａは、横方向を向いていてもよい。
【００５６】  尚、取り出し口３３，７１を開閉するための開閉蓋は、硬質プラスチック製の開閉蓋でもよい。
【符号の説明】
【００５７】  １    ウエットシート  １ａ  折り目  ２    内袋  ３    ケース（包装容器）  ４    底蓋（包装容器）  ５    フラップ（開閉蓋）１０    シート基材１１    液体２０    サイドガセット部２１    底部２２    突出片２３    底シール部２４    開口部２５    端部２５ａ  端部の短辺側の部分２５ｂ  端部の長辺側の部分３０    天面部３１    側面部３２    フランジ部３３    取り出し口３４    環状突条３５    凹部３６    凸部３７    縦リブ３８    底面開口部５０    摘み部５１    ストッパー用切り込み線６０    ノズル７０    包装袋（包装体）７１    取り出し口７２    開口部
【図１】
0006712101.tif 000002
【図２】
0006712101.tif 000003
【図３】
0006712101.tif 000004
【図４】
0006712101.tif 000005
【図５】
0006712101.tif 000006
【図６】
0006712101.tif 000007
【図７】
0006712101.tif 000008
【図８】
0006712101.tif 000009
【図９】
0006712101.tif 000010
【図１０】
0006712101.tif 000011
【図１１】
0006712101.tif 000012
【図１２】
0006712101.tif 000013
【図１３】
0006712101.tif 000014
【図１４】
0006712101.tif 000015
【図１５】
0006712101.tif 000016
【図１６】
0006712101.tif 000017
【図１７】
0006712101.tif 000018
【図１８】
0006712101.tif 000019
【図１９】
0006712101.tif 000020